(57)【要約】      （修正有）【課題】女性・男性を問わず対象者の顔の印象を分析して主として顔の的確なメイクアップを実現し得る対象者の印象分析及び化粧デザイニングカルテを提供する。【解決手段】所定サイズの紙葉複数枚連続綴りで、例えばこれを女性用の構成とした対象者の印象分析及び化粧デザイニングカルテ１であって、表紙ページと、対象者のフェイスデザイニング、ポイントメイクアップ、ベースメイク、アイメイクアップ及びアイブローの各項目を記載するページと、対象者の名前、年月日、各種化粧用品、スキンケアステップの各項目を記載するページＰ３と、対象者の印象に関する若い・大人の度合い、女性的・男性的の度合いを表す諸項目を配置、選択記載するインプレッションマップページと、対象者の第一印象を記載するファーストインプレッション欄と対象者のこれからの印象表現に関するデザイニングアドバイス欄を有するページと、対象者の印象分析及び化粧デザイニングの前後の顔画像を掲載するページと、を含む。【選択図】図３
0003216672.tif 000002
【実用新案登録請求の範囲】
【請求項１】
所定サイズの紙葉複数枚連続綴りで女性用の構成とした対象者の印象分析及び化粧デザイニングカルテであって、
表紙ページと、
対象者のフェイスデザイニング、ベースメイク、ポイントメイクアップ、アイメイクアップ及びアイブローの各項目を記載するページと、
対象者の名前、年月日、各種化粧用品、スキンケアステップの各項目を記載するページと、
対象者の印象に関する若い・大人の度合い、女性的・男性的の度合いを表す諸項目を配置、選択記載するインプレッションマップページと、
対象者の第一印象を記載するファーストインプレッション欄と対象者のこれからの印象表現に関するデザイニングアドバイス欄を有するページと、
対象者の印象分析及び化粧デザイニングの前後の顔画像を掲載するページと、
を含むことを特徴とする対象者の印象分析及び化粧デザイニングカルテ。
【請求項２】
Ａ４サイズの紙葉４枚連続綴りで女性用の構成とした対象者の印象分析及び化粧デザイニングカルテであって、
表紙ページと、
対象者のアイブローの各項目をこれらの関連図を含めて記載するページと、
対象者の名前、年月日、クレンジング、ホットタオル、洗顔、美容液、化粧水、クリーム等の各種化粧用品及び使用量の各項目を朝、夜のチェック欄とともに記載し、スキンケアステップにおける化粧下地、ファンデーション、フェイスパウダー等の使用商品及び実施手段等の各項目を記載するページと、
対象者の印象に関する若い・大人の度合い、女性的・男性的の度合いを表す諸項目を配置、選択記載するインプレッションマップページであって、キュート、ゴージャス、ソフト、クラッシィ、西洋的なミステリアス、センシティブ、東洋的なミステリアス、トラディショナル、フレッシュ、ボーイッシュ、インテリジェント、クール及びアクティブの各項目、並びに、これら各項目に関連する個別に記号を付けた各詳細項目を配置し、各詳細項目を選択可能としたインプレッションマップページと、
対象者の第一印象を記載するファーストインプレッション欄と対象者のこれからの印象表現に関するデザイニングアドバイス欄を有するページと、
対象者の印象分析及び化粧デザイニングの前後の顔画像を掲載するページと、
を含むことを特徴とする対象者の印象分析及び化粧デザイニングカルテ。
【請求項３】
前記インプレッションマップページには、前記各項目についての若い・大人の度合い、女性的・男性的の度合いに関連した項目内容説明、及び前記各項目、各詳細項目に個別に付けた各記号の若い・大人の度合い、女性的・男性的の度合いに関連した記号内容説明が記載されていることを特徴とする請求項１又は２記載の対象者の印象分析及び化粧デザイニングカルテ。
【請求項４】
所定サイズの紙葉複数枚連続綴りで男性用の構成とした対象者の印象分析及び化粧デザイニングカルテであって、
表紙ページと、
対象者の顔のトータルバランス、ビューティポイントの各項目を記載するページと、
対象者の名前、年月日、スキンケアステップ、アイブロウデザインの各項目を記載するページと、
対象者の印象に関する若い・大人の度合い、動的・静的の度合いを表す諸項目を配置、選択記載するインプレッションマップページと、
対象者の第一印象を記載するファーストインプレッション欄と対象者のこれからの印象表現に関するデザイニングアドバイス欄を有するページと、
対象者の印象分析及び化粧デザイニングの前後の顔画像を掲載するページと、
を含むことを特徴とする対象者の印象分析及び化粧デザイニングカルテ。
【請求項５】
Ａ４サイズの紙葉４枚連続綴りで男性用の構成とした対象者の印象分析及び化粧デザイニングカルテであって、
表紙ページと、
対象者の顔のトータルバランス、ビューティポイントの各項目をこれらの関連図を含めて記載するページと、
対象者の名前、年月日、スキンケアステップにおけるクレンジング、ホットタオル、洗顔、美容液、乳液、化粧水等の各種化粧用品及び使用量、アイブロウデザインにおけるトリミング、及び、デザインの関連図及び関連事項を記載するページと、
対象者の印象に関する若い・大人の度合い、静的・動的の度合いを表す諸項目を配置、選択記載するインプレッションマップページであって、スイート、ソフト、クール、東洋的ミステリアス、ジェントル、ダンディ、ワイルド、フレッシュ、スポーティ、ナチュラル、ゴージャス、ダイナミックの各項目、並びに、これら各項目に関連する個別に記号を付けた各詳細項目を配置し、各詳細項目を選択可能としたインプレッションマップページと、
対象者の第一印象を記載するファーストインプレッション欄と対象者のこれからの印象表現に関するデザイニングアドバイス欄を有するページと、
対象者の印象分析及び化粧デザイニングの前後の顔画像を掲載するページと、
を含むことを特徴とする対象者の印象分析及び化粧デザイニングカルテ。
【請求項６】
前記インプレッションマップページには、前記各項目についての若い・大人の度合い、静的・動的の度合いに関連した項目内容説明、及び前記各項目、各詳細項目に個別に付けた各記号の若い・大人の度合い、静的・動的の度合いに関連した記号内容説明が記載されていることを特徴とする請求項４又は５記載の対象者の印象分析及び化粧デザイニングカルテ。
【考案の詳細な説明】
【技術分野】
【０００１】
本考案は、斬新な対象者の印象分析及び化粧デザイニングカルテに関するもので、詳しくは、女性・男性を問わず対象者の顔の印象を分析して主として顔の的確なメイクアップを実現し、当該対象者の的確な印象表現による好適なイメージを得ることに寄与し得る対象者の印象分析及び化粧デザイニングカルテに関するものである。
【背景技術】
【０００２】
従来、一般に、人間、特に女性の場合には顔の化粧の仕方によってその人の日々の生き方、人生が大きく左右されることが多々ある。例えば、いつもその人に合っていない化粧等をして生活していると、本人が気付かなくてもその人のイメージは良好ではなく、結果的にその人の人生も暗くなりがちである。
【０００３】
従来、自分に合った理想的な顔の化粧等による印象表現を簡略、かつ、客観的に知り得る手段、方法は存在しないのが実情である。
【０００４】
特許文献１には、一枚の横長の長方形シートが、短辺と平行な折り目によって３つ折りされ、化粧品の使用目的、化粧品の使用量の目安、化粧品の使い方、カウンセリング結果等を記入する構成としたカウンセリングカルテが提案されている。
【０００５】
この特許文献１の場合、主として女性の化粧に主眼をおいたものであり、対象者の印象を考慮して化粧デザイニングを行うことまでは配慮されていない。
【先行技術文献】
【特許文献】
【０００６】
【特許文献１】実用新案登録第２５２７１９４号公報
【考案の概要】
【考案が解決しようとする課題】
【０００７】
本考案は、従来の上記事情に鑑み開発されたもので、女性又は男性である対象者の顔の印象を分析して主として顔の的確なメイクアップを実現し、当該対象者の的確な印象表現による好適なイメージを得ることに寄与し得る対象者の印象分析及び化粧デザイニングカルテを提供するものである。
【課題を解決するための手段】
【０００８】
本考案の対象者の印象分析及び化粧デザイニングカルテは、所定サイズの紙葉複数枚連続綴りで女性用の構成とした対象者の印象分析及び化粧デザイニングカルテであって、表紙ページと、対象者のフェイスデザイニング、ベースメイク、ポイントメイクアップ、アイメイクアップ及びアイブローの各項目を記載するページと、対象者の名前、年月日、各種化粧用品、スキンケアステップの各項目を記載するページと、対象者の印象に関する若い・大人の度合い、女性的・男性的の度合いを表す諸項目を配置、選択記載するインプレッションマップページと、対象者の第一印象を記載するファーストインプレッション欄と対象者のこれからの印象表現に関するデザイニングアドバイス欄を有するページと、対象者の印象分析及び化粧デザイニングの前後の顔画像を掲載するページと、を含むことを最も主要な特徴とする。
【考案の効果】
【０００９】
請求項１、２記載の考案によれば、対象者（女性）の客観的、合理的な主として顔の印象分析結果や、顔やその細部のメイクアップデザイニング等の表現に関するデザイニングアドバイスを得ることができ、対象者（女性）にとって極めて有益な対象者の印象分析及び化粧デザイニングカルテを実現し、提供することができる。
【００１０】
請求項３記載の考案によれば、前記インプレッションマップページには、前記各項目についての項目内容説明、及び前記各項目、各詳細項目に関連した記号内容説明が記載されていることから、対象者（女性）にとって自己のインプレッション内容を簡略容易に把握することができる対象者の印象分析及び化粧デザイニングカルテを実現し、提供することができる。
【００１１】
請求項４、５記載の考案によれば、対象者（男性）の客観的、合理的な主として顔の印象分析結果や、顔やその細部のトータルバランスや印象表現に関するデザイニングアドバイスを得ることができ、対象者（男性）にとって極めて有益な対象者の印象分析及び化粧デザイニングカルテを実現し、提供することができる。
【００１２】
請求項６記載の考案によれば、前記インプレッションマップページには、前記各項目についての項目内容説明、及び前記各項目、各詳細項目に関連した記号内容説明が記載されていることから、対象者（男性）にとって自己のインプレッション内容を簡略容易に把握することができる対象者の印象分析及び化粧デザイニングカルテを実現し、提供することができる。
【図面の簡単な説明】
【００１３】
【図１】図１は本考案の実施例１に係る女性用の印象分析及び化粧デザイニングカルテの表紙ページを示す図である。
【図２】図２は本実施例１に係る女性用の印象分析及び化粧デザイニングカルテにおける対象者のフェイスデザイニング、ベースメイク、チーク、ポイントメイクアップ、アイメイクアップ及びアイブローの各項目を記載するページを示す図である。
【図３】図３は本実施例１に係る女性用の印象分析及び化粧デザイニングカルテにおける対象者の名前、年月日、各種化粧用品、スキンケアステップの各項目を記載するページを示す図である。
【図４】図４は本実施例１に係る女性用の印象分析及び化粧デザイニングカルテにおける対象者の印象に関する若い・大人の度合い、女性的・男性的の度合いを表す諸項目を配置、選択記載するインプレッションマップページを示す図である。
【図５】図５は本実施例１に係る女性用の印象分析及び化粧デザイニングカルテにおける対象者に関する若い・大人の度合い、女性的・男性的の度合いを表す諸項目を配置、選択記載するインプレッションマップページを示す図であり、図４に示すページに一覧的に連続するページを示す図である。
【図６】図６は本実施例１に係る女性用の印象分析及び化粧デザイニングカルテにおける対象者の第一印象を記載するファーストインプレッション欄と対象者のこれからの印象表現に関するデザイニングアドバイス欄を有するページを示す図である。
【図７】図７は本実施例１に係る女性用の印象分析及び化粧デザイニングカルテにおける対象者の印象分析及び化粧デザイニングの前後の顔画像を掲載するページを示す図である。
【図８】図８は本実施例１に係る女性用の印象分析及び化粧デザイニングカルテにおける裏表紙ページを示す図である。
【図９】図９は本考案の実施例２に係る男性用の印象分析及び化粧デザイニングカルテにおける表紙ページを示す図である。
【図１０】図１０は本実施例２に係る男性用の印象分析及び化粧デザイニングカルテにおける対象者の顔のトータルバランス、ビューティポイントの各項目を記載するページを示す図である。
【図１１】図１１は本実施例２に係る男性用の印象分析及び化粧デザイニングカルテにおける対象者の名前、年月日、スキンケアステップ、アイブロウデザインの各項目を記載するページを示す図である。
【図１２】図１２は本実施例２に係る男性用の印象分析及び化粧デザイニングカルテにおける対象者の印象に関する若い・大人の度合い、動的・静的の度合いを表す諸項目を配置、選択記載するインプレッションマップを示す図である。
【図１３】図１３は本実施例２に係る男性用の印象分析及び化粧デザイニングカルテにおける対象者の印象に関する若い・大人の度合い、動的・静的の度合いを表す諸項目を配置、選択記載するインプレッションマップを示す図であり、図１２に一覧的に連続するページを示す図である。
【図１４】図１４は本実施例２に係る男性用の印象分析及び化粧デザイニングカルテにおける対象者の第一印象を記載するファーストインプレッション欄と対象者のこれからの印象表現に関するデザイニングアドバイス欄を有するページを示す図である。
【図１５】図１５は本実施例２に係る男性用の印象分析及び化粧デザイニングカルテにおける対象者の印象分析及び化粧デザイニングの前後の顔画像を掲載するページを示す図である。
【考案を実施するための形態】
【００１４】
本考案は、女性である対象者の顔の印象を分析して主として顔の的確なメイクアップを実現し、当該対象者の的確な印象表現による好適なイメージを得ることに寄与し得る対象者の印象分析及び化粧デザイニングカルテを実現し提供するという目的を、Ａ４サイズの紙葉４枚連続綴りで女性用の構成とした対象者の印象分析及び化粧デザイニングカルテであって、表紙ページと、対象者のアイブローの各項目をこれらの関連図を含めて記載するページと、対象者の名前、年月日、クレンジング、ホットタオル、洗顔、美容液、化粧水、クリーム等の各種化粧用品及び使用量の各項目を朝、夜のチェック欄とともに記載し、スキンケアステップにおける化粧下地、ファンデーション、フェイスパウダー等の使用商品及び実施手段等の各項目を記載するページと、対象者の印象に関する若い・大人の度合い、女性的・男性的の度合いを表す諸項目を配置、選択記載するインプレッションマップページであって、キュート、ゴージャス、ソフト、クラッシィ、西洋的なミステリアス、センシティブ、東洋的なミステリアス、トラディショナル、フレッシュ、ボーイッシュ、インテリジェント、クール及びアクティブの各項目、並びに、これら各項目に関連する個別に記号を付けた各詳細項目を配置し、各詳細項目を選択可能としたインプレッションマップページと、対象者の第一印象を記載するファーストインプレッション欄と対象者のこれからの印象表現に関するデザイニングアドバイス欄を有するページと、対象者の印象分析及び化粧デザイニングの前後の顔画像を掲載するページと、を含む構成により実現した。
【実施例】
【００１５】
以下、図面を参照して、本考案の実施例に係る対象者の印象分析及び化粧デザイニングカルテについて詳細に説明する。
【００１６】
（実施例１）
本実施例１に係る対象者（女性）Ｍ１の印象分析及び化粧デザイニングカルテ（以下単に「デザイニングカルテ」という）１は、図１乃至図８に示すように、例えばＡ４サイズの紙葉４枚綴り（又はＡ３サイズの紙葉２枚を二つ折り中綴じ）で、表紙ページから裏表紙ページにわたる合計８ページの冊子形態としたものである。本実施例１においては、４枚の紙葉について図１乃至図８に示すように、一連の数字によりページ付けして以下の説明を行う、
【００１７】
本実施例１に係る女性用のデザイニングカルテ１は、以下に述べる各頁構成となっている。
【００１８】
（１）図１に示す『ＭＡＫＥ  ＵＰ  ＩＭＡＧＥ  ＣＡＲＴＥ』の文字、対象者Ｍ１である女性の顔のイメージ画像を表した表紙ページ（Ｐ１）
【００１９】
（２）図２に示すフェイスデザイニングページ（Ｐ２）
このフェイスデザイニングページには、顔の表現図、及びチーク、リップに関するポイントメイクアップ記載欄、アイメイクアップ、アイブローに関する記載欄の各欄を設けている。
【００２０】
前記顔の表現図は、実際に行った対象者Ｍ１の顔の印象表現の図であり、また、チーク、リップに関する記載欄、アイメイクアップ、アイブローに関する記載欄は、実際に行った対象者Ｍ１のチーク、リップ、眼、眉の実施技法を記載したものである。
【００２１】
詳述すると、前記ポイントメイクアップの欄は、頬に血色を与えるため実際に行ったチークメイクアップの方法を解説したり、チーク及び唇を描くため実際に行ったリップメイクアップの方法を記載したものである。
【００２２】
また、アイメイクアップ、アイブローに関する記載内容は、眉の形を整え描くアイブローと、まぶたとまつげを演出する実際に行ったアイメイクアップの表現法を図に示したものである。
【００２３】
（３）図３に示すページ（Ｐ３）は、対象者Ｍ１の名前、年月日や、クレンジング、ホットタオル、洗顔、美容液、化粧水、クリーム等の各種化粧用品、及び使用量の各項目を朝、夜別のチェック欄記載とともに記載し、スキンケアステップにおける化粧下地、ファンデーション、フェイスパウダー等の使用商品及び実施内容、ブラシ又は手のような実施手段等の各項目を記載するものである。
【００２４】
（４）図４、図５に示すページ（Ｐ４、Ｐ５）は、左右一覧的としたインプレッションマップページであり、対象者Ｍ１の印象に関する若い・大人の度合い、女性的・男性的の度合いを表す諸項目を配置、選択記載するもので、キュート、ゴージャス、ソフト、クラッシィ、西洋的なミステリアス、東洋的なミステリアスからなる２種のミステリアス、センシティブ、トラディショナル、フレッシュ、ボーイッシュ、インテリジェント、クール及びアクティブの合計１２タイプの各項目（大分類項目）、並びに、これら各項目に関連する個別に記号を付けた多数の詳細項目（小分類項目）を２ページにわたって配置し、各詳細項目を選択可能としたものである。
なお、図４、図５に示す前記インプレッションマップページにおけるミステリアスの項目の部分は、前記西洋的なミステリアス、東洋的なミステリアスからなる２種のミステリアスを一緒に行うのが通常であるので、当該ページの各項目の合計数は、図面上、１３項目が掲載されているが、実際は１２タイプということになる。
【００２５】
すなわち、インプレッションマップとは、縦軸に「若い」と「大人」の軸を、横軸に「女性的」と「男性的」の軸を置いた印象ポジショニングマップ（１２タイプのイメージの大分類項目及び関連する多数の小分類項目）のことを意味する。
【００２６】
以下、このインプレッションマップページにおける大分類項目について詳述する。
【００２７】
前記大分類項目のうちのキュート、ソフト、センシティブは、甘い少女のようなゾーンであり、この内、キュートは、明るい可愛さ等の印象、ソフトは、自然でやさしい等の印象、センシィテイブは、しとやかでデリケート等の印象が各々イメージされる。ゴージャスは、華やかな気を放つ女性のゾーンであり、輝いて魅惑がある等の印象がイメージされる。
【００２８】
フレッシュ、ボーイッシュは、元気な少年に近いゾーンであり、この内、フレッシュは、すっきりとシンプル等の印象、ボーイッシュは、さっぱりとカジュアル等の印象が各々イメージされる。
【００２９】
クラッシィ、２種のミステリアス、トラディショナルは、完成された女性のゾーンであり、この内、クラッシィは洗練されたエレガント等の印象、２種のミステリアスは、ベールに包まれた神秘性等の印象、トラディショナルは、意志が強くて誠実等の印象が各々イメージされる。
【００３０】
インテリジェント、クールは、判断力の鋭い女性ゾーンであり、この内、インテリジェントはセンスがあり行動的等の印象、クールは凛として冷静等の印象が各々イメージされる。
【００３１】
アクティブは、躍動感にあふれる女性のゾーンであり、本能的でポジティブ等の印象がイメージされる。
【００３２】
前記合計１２タイプの各項目（大分類項目）には、図４、図５に示すように、大分類項目の各内容を更に具体的に表すために各々個別に記号を付けた多数の詳細項目（小分類項目）を付加している。
【００３３】
前記インプレッションマップページには、図４、図５の下欄に示すように、前記各項目（大分類項目）についての若い・大人の度合い、女性的・男性的の度合いに関連した項目内容説明欄を設けている。
【００３４】
また、前記インプレッションマップページには、図５の上欄に示すように、前記合計１２タイプの各項目（大分類項目）に対して付加する星印の記号、及び多数の詳細項目（小分類項目）に付加する３種類の記号（四角、大丸、小丸）の記号内容説明欄を設けている。
【００３５】
これらの記号内容説明欄、記号内容説明欄の記載によって、対象者（女性）Ｍ１は、自己のインプレッション内容を簡略容易に、かつ、具体的に把握することが可能となる。
【００３６】
（５）図６に示すページ（Ｐ６）は、対象者Ｍ１の第一印象を記載するファーストインプレッション欄と対象者Ｍ１のこれからの印象表現に関するデザイニングアドバイス欄を有するページである。
【００３７】
前記ファーストインプレッション欄は、印象分析結果で導出された大分類（合計１２項目）のうちの印象ポジションと印象分析結果で導出された大分類中の小分類に関する印象ポジションを記載するものである。
【００３８】
また、デザイニングアドバイス欄は、ファーストインプレッションで導出された最も対象者Ｍ１の魅力を引き立てる印象ポジションの印象表現をアドバイスとして記載するものである。
【００３９】
（６）図７に示すページ（Ｐ７）は、対象者Ｍ１の印象分析及び化粧デザイニングの前、及び後の顔画像を掲載するページである。
【００４０】
（７）図８に示すページ（Ｐ８）は、裏表紙ページであり、必要に応じて会社名称、電話番号等を記載するページである。
【００４１】
次に、本実施例１に係るデザイニングカルテ１を使用した対象者（女性）Ｍ１の印象分析及び化粧デザイニング手法の具体例について説明する。
【００４２】
本実施例１に係るデザイニングカルテ１を使用した印象分析及び化粧デザイニング手法は、対象者（女性）Ｍ１に関して、印象分析処理を行い、これらの結果であるファーストインプレッション（あなたの第一印象）を導出し、更に、これからの印象表現であるデザイニングアドバイスを行った後、実際に顔に対するメイクアップを行い、最後に前記デザイニングカルテ１に処理結果を記述するものである。
【００４３】
更に、詳述すると、まず、対象者（女性）Ｍ１の性別を判別し、図４、図５に示す前記大分類項目の中から適応する大分類を導出する印象分析を行い、その印象分析の結果を得る。
更にまた、当該大分類の中から更に細分化した小分類を導出する印象分析を行い、大分類、小分類を加味した印象分析の結果を得る。
【００４４】
次に、上述した印象分析の結果からあなたの第一印象であるファーストインプレッション（図４、図５に示すインプレッションマップ中の大分類と小分類の印象ポジション）を導出する。
【００４５】
この後、上述した分析により導き出された印象ポジションをもとにこれからの印象表現であるデザイニングアドバイスを行い、更に、実際に顔に対するメイクアップを行い、最後にデザイニングカルテ１のファーストインプレッションページ（図６）にあなたの第一印象、これからの印象表現に関する分析結果を記述するものである。
【００４６】
一方、対象者（女性）Ｍ１に関するフェイスデザイニング頁（Ｐ２）のポイントメイクアップ欄には、頬に血色を与えるため実際に行ったチークメイクアップの方法や、チーク及び唇を描くため実際に行ったリップメイクアップの方法が記述される。
【００４７】
また、アイメイクアップ、アイブローの欄には、眉に関する印象、眉の描き方等の実際に行ったメイクアップ内容等が記述される。
【００４８】
図３に示すページには、実際に行ったクレンジング、ホットタオル、洗顔、化粧水、美容液・乳液、クリームに関する事項が記述される。
更に、スキンケアステップの欄には、実際に行った化粧下地、ファンデーション、フェイスパウダーに関する事項が記述される。
【００４９】
本実施例１に係るデザイニングカルテ１によれば、対象者（女性）Ｍ１の客観的、合理的な主として顔の印象分析結果や、顔やその細部のメイクアップデザイニング等の表現に関するデザイニングアドバイスを得ることができ、対象者（女性）Ｍ１にとって極めて有益なデザイニングカルテ１とすることができる。
【００５０】
（実施例２）
次に図９乃至図１５を参照して本考案の実施例２に係るデザイニングカルテ１Ａについて説明する。
【００５１】
本実施例２に係る対象者（男性）Ｍ２の印象分析及び化粧デザイニングカルテ（以下単に「デザイニングカルテ」という）１Ａは、図９乃至図１５に示すように例えばＡ４サイズの紙葉４枚綴り（又はＡ３サイズの紙葉２枚を二つ折り中綴じ）で、表紙ページから裏表紙ページにわたる合計８ページの冊子形態としたものである。
【００５２】
本実施例２においては、４枚の紙葉について図９乃至図１５に示すように、一連の数字によりページ付けをして以下の説明を行う。
【００５３】
本実施例２に係る男性用のデザイニングカルテ１Ａは、以下述べる各頁構成となっている。
【００５４】
（１）図９に示すように、『ＭＡＫＥ  ＵＰ  ＩＭＡＧＥ  ＣＡＲＴＥ』の文字、男性の顔のイメージ画像を表した表紙ページ（Ｐ１）
【００５５】
（２）図１０に示すページ（Ｐ２）はトータルバランスページであり、このトータルバランスページ（Ｐ２）には、顔の表現図を掲載するとともに、ビューティポイントに関する記載欄を設けている。
【００５６】
（３）図１１に示すページ（Ｐ３）は、男性である対象者Ｍ２の名前、年月日や、クレンジング、ホットタオル、洗顔、美容液、乳液、化粧水等の各種化粧用品及び使用量の各項目を朝、夜別のチェック欄記載とともに記載するものである。
【００５７】
また、アイブロウデザインとして、眉のトリミング内容とその関連図、眉のデザイン内容及びその関連図も記載するものである。
【００５８】
（４）図１２、図１３に示すページ（Ｐ４、Ｐ５）は、左右一覧的としたインプレッションマップページであり、対象者Ｍ２に関する若い・大人の度合い、静的・動的の度合いを表す諸項目を配置、選択記載するインプレッションマップページであって、スイート、ソフト、クール、ミステリアス、ジェントル、ダンディ、ワイルド、フレッシュ、スポーティ、ナチュラル、ゴージャス、ダイナミックの各項目、並びに、これら各項目に関連する個別に記号を付けた各詳細項目を配置し、各詳細項目を選択可能としたものである（Ｐ４、Ｐ５）。
【００５９】
すなわち、前記インプレッションマップとは、縦軸に「若い」と「大人」の軸を、横軸に「静的」と「動的」の軸を置いた印象ポジショニングマップ（１２タイプのイメージの大分類項目及び関連する多数の小分類項目）のことを意味する。
【００６０】
以下、このインプレッションマップページにおける大分類項目について詳述する。
【００６１】
前記インプレッションマップページは、若いか、大人か、静的か動的かを指標とするものであり、前記大分類項目中のスイート、ソフトは、図１２下欄に示すように、少年ぽさを持つ男性ゾーンであり、この内、スイートは、現実と空想を楽しめる無邪気さを持つ等の印象、ソフトは、人との調和を願う穏やかさ等の印象が各々イメージされる。
【００６２】
クールは、判断力の鋭い男性ゾーンであり、分析力が高く常に冷静等の印象が各々イメージされる。
【００６３】
ナチュラル、フレッシュ、スポーティは、爽やかな男性ゾーンで、この内、ナチュラルは自然体でのびのびしている等、フレッシュは、明るいエネルギーを持っている等、スポーティは、活動的で好奇心にあふれている等の印象が各々イメージされる。
【００６４】
ジェントル、ダンディ、ミステリアスは、完成された男性のゾーンであり、この内、ジェントルは、安心感と好印象を与える等の印象、ダンディは、信頼感があり共感的等の印象、ミステリアスは、独創的な奥行きを感じる等の印象が各々イメージされる。
【００６５】
ゴージャスは、豪華な気を放つ男性のゾーンであり、高級感と色気を持ち合わせる等の印象がイメージされる。
【００６６】
ワイルド、ダイナミックは、躍動感にあふれる男性のゾーンであり、この内、ワイルドは、大胆でたくましく野生を感じる等の印象、ダイナミックは、リーダーシップとカリスマ性を持つ等の印象が各々イメージされる。
【００６７】
前記合計１２タイプの各項目（大分類項目）には、図１２、図１３に示すように、大分類項目の各内容を更に具体的に表すために各々個別に記号を付けた多数の詳細項目（小分類項目）を付加している。
【００６８】
前記インプレッションマップページには、図１２、図１３の下欄に示すように、前記各項目（大分類項目）についての若い・大人の度合い、静的・動的の度合いに関連した項目内容説明欄を設けている。
【００６９】
また、前記インプレッションマップページには、図１３の上欄に示すように、実施例1の場合と同様、前記合計１２タイプの各項目（大分類項目）に対して付加する星印の記号、及び多数の詳細項目（小分類項目）に付加する３種類の記号（四角、大丸、小丸）の記号内容説明欄を設けている。
【００７０】
これらの記号内容説明欄、記号内容説明欄の記載によって、対象者（男性）Ｍ２は、自己のインプレッション内容を簡略容易に、かつ、具体的に把握することが可能となる。
【００７１】
（５）図１４に示すページ（Ｐ６）は、対象者Ｍ２の第一印象を記載するファーストインプレッション欄と、対象者Ｍ２のこれからの印象表現に関するデザイニングアドバイス欄を有するページである。
【００７２】
前記ファーストインプレッション欄は、印象分析結果で導出された大分類（合計１２項目）のうちの印象ポジションと印象分析結果で導出された大分類中の小分類に関する印象ポジションを記載するものである。
【００７３】
また、デザイニングアドバイス欄は、ファーストインプレッションで導出された最も対象者Ｍ２の魅力を引き立てる印象ポジションの印象表現をアドバイスとして記載するものである。
【００７４】
（６）図１５に示すページ（Ｐ７）は、対象者Ｍ２の印象分析及び化粧デザイニングの前・後の顔画像を掲載するページである。
【００７５】
なお、本実施例２において、裏紙ページは、実施例１の既述した裏紙ページと同一であるため、図示省略する。
【００７６】
次に、本実施例２に係るデザイニングカルテ１Ａを使用した対象者（男性）Ｍ２の印象分析及び化粧デザイニング手法の具体例について説明する。
【００７７】
本実施例２に係るデザイニングカルテ１Ａを使用した印象分析及び化粧デザイニング手法は、対象者（男性）Ｍ２に関して、印象分析処理を行い、これらの結果のファーストインプレッション（あなたの第一印象）を導出し、更に、これからの印象表現であるデザイニングアドバイスを行った後、実際に顔に対するトータルバランス分析処理を行い、最後に前記デザイニングカルテ１Ａに処理結果を記述するものである。
【００７８】
更に、詳述すると、まず、対象者（男性）Ｍ２の性別を判別し、図１２、図１３に示す前記大分類項目の中から適応する大分類を導出する印象分析を行い、その印象分析の結果を得る。更に、当該大分類の中から更に細分化した小分類を導出する印象分析を行い、大分類、小分類を加味した印象分析の結果を得る。
【００７９】
次に、上述した印象分析の結果からあなたの第一印象であるファーストインプレッション（図１２、図１３に示すインプレッションマップ中の大分類と小分類の印象ポジション）を導出する。
【００８０】
この後、上述した分析により導き出された印象ポジションをもとにこれからの印象表現であるデザイニングアドバイスを行い、更に、実際に対象者Ｍ２の顔に対するスキンケア等を行い、最後にデザイニングカルテ１Ａのファーストインプレッションページ（図１４）にあなたの第一印象、これからの印象表現に関する分析結果を記述するものである。
【００８１】
一方、対象者（男性）Ｍ２に関しては、ビューティポイント欄（Ｐ２）に、洗顔時やスキンケア時の注意事項等が記述される。
【００８２】
本実施例２に係るデザイニングカルテ１Ａによれば、対象者（男性）Ｍ２の客観的、合理的な主として顔の印象分析結果や、顔やその細部のトータルバランスや印象表現に関するデザイニングアドバイスを得ることができ、対象者（男性）Ｍ２にとって極めて有益なデザイニングカルテ１Ａとすることができる。
【産業上の利用可能性】
【００８３】
本考案の対象者の印象分析及び化粧デザイニングカルテは、上述したような対象者（年齢を問わず女性又は男性）の客観的、合理的な主として顔の印象分析、顔のメイクアップデザイニング等の表現に関するデザイニングアドバイスを行うために利用する他、対象者（女性又は男性）のドレス、スーツ等の服装イメージ等に関するアドバイスを行うために利用することも勿論可能である。
【符号の説明】
【００８４】
１    対象者の印象分析及び化粧デザイニングカルテ
１Ａ  対象者の印象分析及び化粧デザイニングカルテ
Ｍ１  対象者（女性）
Ｍ２  対象者（男性）
【図１】
0003216672.tif 000003
【図２】
0003216672.tif 000004
【図３】
0003216672.tif 000005
【図４】
0003216672.tif 000006
【図５】
0003216672.tif 000007
【図６】
0003216672.tif 000008
【図７】
0003216672.tif 000009
【図８】
0003216672.tif 000010
【図９】
0003216672.tif 000011
【図１０】
0003216672.tif 000012
【図１１】
0003216672.tif 000013
【図１２】
0003216672.tif 000014
【図１３】
0003216672.tif 000015
【図１４】
0003216672.tif 000016
【図１５】
0003216672.tif 000017